(57)【要約】【課題】  長期保存に適するマイクロフィルムを用い、マイクロフィルムの読込及び書込に適合した形式で記録する記録装置を提供する。【解決手段】  情報変換手段１２及びライタ１１を有して、情報変換手段１２が情報を２次元バーコードに変換し、ライタ１１が２次元バーコードをマイクロフィルムに焼き付けるので、長期保存に適したマイクロフィルムに記録しているため情報を劣化させることなく情報の長期保存を実現することができる。【選択図】  図２
2006127054.tif 000002
【特許請求の範囲】
【請求項１】
情報を２次元バーコードに変換する情報変換手段と、マイクロフィルムに２次元バーコードを書き込むライタとを備えることを
特徴とする記録書込装置。
【請求項２】
前記請求項１に記載の記録書込装置において、
前記情報変換手段が、情報を分割して変換して複数の２次元バーコードとすることを
特徴とする記録書込装置。
【請求項３】
前記請求項１または２に記載の記録書込装置において、
前記ライタが、２次元バーコードに加えて可視可能な情報をマイクロフィルムに書き込むことを
特徴とする記録書込装置。
【請求項４】
２次元バーコードが書き込まれたマイクロフィルムを読み込むリーダと、２次元バーコードを情報に変換するバーコード変換手段とを備えることを
特徴とする記録読出装置。
【請求項５】
前記請求項４に記載の記録読出装置において、
前記バーコード変換手段が、複数の２次元バーコードを変換して統合して情報とすることを
特徴とする記録読出装置。
【請求項６】
前記請求項４または５に記載の記録読出装置において
前記リーダが、２次元バーコードに加えて可視可能な情報が書き込まれたマイクロフィルムを読み込むことを
特徴とする記録読出装置。
【請求項７】
前記請求項１ないし３のいずれかの記録書込装置と、前記請求項４ないし６に記載の記録読出装置とを備えることを
特徴とする記録保存処理装置。
【発明の詳細な説明】
【技術分野】
【０００１】
本発明は、長期保存に適したマイクロフィルムを使用する記録装置に関し、特に、マイクロフィルムに適した変換を用いた記録装置に関する。
【背景技術】
【０００２】
記録保存処理装置の背景技術となるものに、特開平５−２７４３７５公報に開示される画像データ供給システムがあり、以下図に基づき説明する。
この画像データ供給システムは、複数の記録媒体に記録された多数の画像データの中から所望の画像データを抽出して端末装置に供給する画像データ供給システムであって、該システムは、高速通信網を介して前記端末装置に画像データを供給する画像データ供給装置を備え、該画像データ供給装置は、前記記録媒体に記録されたそれぞれの画像データの縮小画像をそれらの検索情報とともに蓄積した検索情報蓄積手段と、前記端末装置からの要求の下に前記検索情報蓄積手段に蓄積された検索情報に基づいて前記記録媒体に記録された画像データを検索する検索手段と、該検索手段によって検索された画像データを記録した記録媒体を選択する記録 媒体選択手段と、該選択された記録媒体から前記検索手段によって検索された画像データを抽出して、該画像データを前記高速通信網を介して前記端末装置に供給する供給手段とを含む構成である。
【０００３】
具体的には、画像データ供給システムは、それぞれ複数の画像データを記録した光ディスクを有する画像データ供給装置にて、それら画像データの中からユーザが指定する画像データを選択して、その画像データを高速ネットワークを介してユーザ宅内に設置された端末装置にそれぞれ供給するシステムである。
【０００４】
画像データ供給装置は、たとえば35mmネガフィルムから読み取った画像データを記録した光ディスク、いわゆる「フォトCD」の中からユーザが指定する所望の画像データを抽出して送信するデータサーバである。この画像データ供給装置は、光ディスクに記録された画像データを読み取るCDリーダと、このCDリーダに所望の光ディスクを装着するオートチェンジャと、光ディスクの中から所望の画像データを検索するための検索情報が格納されたハードディスクと、このハードディスクに格納された検索情報に基づいて所望の画像データを検索するデータベース管理部とを含む構成となっている。
【０００５】
このような画像データ供給システムによれば、ユーザが希望する画像データを即座に選択して供給することができる。この場合、所望の画像データを検索する際に、元画像を１つづつ検索することなく、元画像を縮小して得られた複数個の縮小データから選択することができ、また、これら縮小データにそれぞれ対応する検索情報から元画像を容易に検索することができる。
【特許文献１】特開平５−２７４３７５公報
【発明の開示】
【発明が解決しようとする課題】
【０００６】
前記背景技術となる画像データ供給システムは以上のように構成されていたので、光ディスクも磁気テープも通常の記録媒体は耐用時間が短く、長期保存には向かないため耐用時間終了前までに他の光ディスク又は磁気テープに情報を記録する必要があり、少なくとも短い耐用時間経過毎に手間が生じるという課題を有する。ここで、各記録媒体の耐用時間について記載する。磁気テープは、おおよそ５年程度の耐用時間であって、品質が良いもので１５年程度の耐用時間がある。光ディスクは、おおよそ５年ないしは１０年の耐用時間であって、品質が良いもので３０年ないし５０年の耐用時間である。マイクロフィルムは中期間用であって１０年程度の耐用時間であって、品質がよいもので１５年ないし２０年の耐用時間があり、さらに、長期保存仕様の場合には１００年の耐用時間があり、品質がよいもので２００年以上の耐用時間がある。これらから、マイクロフィルムが長期保存用の記録媒体として抜きん出ていることは明らかである。
【０００７】
このような耐用時間が他の記録媒体と比べて非常に長いマイクロフィルムを用いることが考えられるが、マイクロフィルムのリーダは所定領域を一まとめに読み込み、ＣＤのレーザー光線のようにピットの線上を直線状に走査するものではないので、ＣＤのフォーマットをそのまま適用してマイクロフィルムには書き込むことができないという課題を有する。
【０００８】
本発明は前記課題を解決するためになされたものであり、長期保存に適するマイクロフィルムを用い、マイクロフィルムの読込及び書込に適合した形式で記録する記録装置を提供することを目的とする。
【課題を解決するための手段】
【０００９】
本発明に係る記録書込装置は、情報を２次元バーコードに変換する情報変換手段と、マイクロフィルムに２次元バーコードを書き込むライタとを備えるものである。このように本発明においては、情報変換手段及びライタを有して、情報変換手段が情報を２次元バーコードに変換し、ライタが２次元バーコードをマイクロフィルムに焼き付けるので、長期保存に適したマイクロフィルムに記録しているため情報を劣化させることなく情報の長期保存を実現することができる。
【００１０】
また、本発明に係る記録書込装置は必要に応じて、前記情報変換手段が、情報を分割して変換して複数の２次元バーコードとするものである。このように本発明においては、情報変換手段が情報を分割して複数の２次元バーコードに変換するので、単一の２次元バーコードで処理できない大量の情報であっても分割して扱うことで処理することができる。
【００１１】
また、本発明に係る記録書込装置は必要に応じて、前記ライタが、２次元バーコードに加えて可視可能な情報をマイクロフィルムに書き込むものである。このように本発明においては、ライタが２次元バーコードに加えてマイクロフィルムに可視可能な情報を書き込むので、２次元バーコードをリーダで読込み情報処理することなしに拡大鏡又はリーダで参照することで少なくとも可視可能な情報を知覚することができる。
【００１２】
本発明に係る記録読出装置は、２次元バーコードが書き込まれたマイクロフィルムを読み込むリーダと、２次元バーコードを情報に変換するバーコード変換手段とを備えるものである。このように本発明においては、リーダ及びバーコード変換手段を有して、リーダがマイクロフィルムから２次元バーコードを読み、バーコード変換手段が当該２次元バーコードを情報に変換するので、長期保存に適したマイクロフィルムに記録しているため長期間経過してもマイクロフィルム内に記録されている情報を劣化させない状態で読み出して用いることができる。
【００１３】
また、本発明に係る記録読出装置は必要に応じて、前記バーコード変換手段が、複数の２次元バーコードを変換して統合して情報とするものである。このように本発明においては、バーコード変換手段が複数の２次元バーコードを変換して部分的な情報となっているものを統合して一つの情報とするので、単一の２次元バーコードで処理できない大きな情報であっても適切に情報に変換することができる。
【００１４】
また、本発明に係る記録読出装置は必要に応じて、前記リーダが、２次元バーコードに加えて可視可能な情報が書き込まれたマイクロフィルムを読み込むものである。このように本発明においては、マイクロフィルムには可視可能な情報が付与されており、バーコード変換手段により２次元バーコードを変換する前に、どのような情報であるかを拡大鏡又はリーダで参照することで知覚することができる。
【発明を実施するための最良の形態】
【００１５】
（本発明の第１の実施形態）
本発明の第１の実施形態に係る記録書込装置及び記録読出装置について、図１ないし６に基づき説明する。図１は本実施形態に係る記録書込装置及び記録読出装置のハードウェア構成図、図２は本実施形態に係る記録書込装置及び記録読出装置のブロック構成図、図３は本実施形態に係る記録書込装置が処理対象とする画像、図４は本実施形態に係る記録書込装置により生成された２次元バーコード、図５は図４の部分拡大図、図６は本実施形態に係る記録書込装置及び記録読出装置の動作フローチャートである。
【００１６】
本実施形態に係る記録書込装置１０は情報を２次元バーコードに変換する情報変換手段１２と、マイクロフィルムに２次元バーコードを書き込むライタ１１とを備え、前記情報変換手段１２が、情報を分割し変換して複数の２次元バーコードとする構成である。この構成の他に、画像を読み込むためのイメージスキャナ４０を備えている。
【００１７】
また、本実施形態に係る記録読出装置２０は、２次元バーコードが書き込まれたマイクロフィルムを読み込むリーダ２１と、２次元バーコードを情報に変換するバーコード変換手段２２とを備え、前記バーコード変換手段２２が、複数の２次元バーコードを変換して統合して情報とする構成である。この構成の他に、変換した情報を表示する表示装置５０及び表示装置５０に情報を表示させるための表示手段６０を備えている。
【００１８】
図１に示す通り、ハードウェアの構成から言えば、前記記録書込装置１０はコンピュータ３０、ライタ１１及びイメージスキャナ４０からなり、前記記録読出装置２０はリーダ２１、前記コンピュータ３０及び表示装置５０からなる。コンピュータ３０は、図２に示すように、情報変換手段１２、バーコード変換手段３３及び表示手段６０を構成している。
【００１９】
前記マイクロフィルムは、通常黒化銀の微小な黒粒子のフィルムであり、高い解像力と鮮明度を有し、マイクロ写真を撮影するときに使用するフィルムであり、ロールフィルム、カートリッジフィルム、マイクロフィッシュ、アパーチュアカード、フィルムジャケット等の種類がある。また、マイクロフィルムは、法的な証拠能力を有し、ＩＳＯ規格化されている。マイクロフィルムは、例えば、キズを防ぐ保護層、感光主体となるハロゲン化銀結晶を均一に支持体上に塗布した感光乳剤層、界面で入射光が反射して画像がボケる現象を防止するハレーション防止層、接着するための下引層、ポリエステルからなる支持体の順に構成されている。
【００２０】
前記イメージスキャナ４０は、紙から図形や写真を読み取って画像情報としてコンピュータ３０に転送する装置である。このイメージスキャナ４０は、具体的には、読み取り対象物に対して光を照射し、反射光をＣＣＤで受光し光電変換を用いて画像情報とするものである。
前記情報変換手段１２は、情報を分割して変換して複数の２次元バーコードとするものであって、コンピュータ３０上に実装されている。当然、情報変換手段１２のみで装置を構成してもよい。
【００２１】
前記２次元バーコードは、水平方向にのみ情報を有する１次元バーコードとは異なり、水平及び垂直方向の２方向に情報を持たせたものである。１次元バーコードは情報量として２０文字程度しかなく英数字のみ使用できるのに比して、２次元バーコードは情報量として例えば、２０００文字程度あり、英数字以外のカナ、漢字、バイナリデータ（テキストデータ以外のデータ形式全般のことをいい、画像情報も含まれる）の使用も可能であり、データ復元機能を有しているものもある。２次元バーコードには複数の仕様があり、ＱＲコード、ＰＤＦ４１７、データコード、マキシコード等がある。本実施形態では、ＱＲコードを用いるとするが、他の２次元バーコードの仕様であっても、なんら問題はない。ＱＲ(Quick Response Code)コードは、高速読み取り、高速処理を主眼に開発された２次元バーコードである。ＱＲコードの主な特徴としては、１つのＱＲコードの読み取りに３０[ms]で読み取ることができる高速性、どのように傾いていても読み取れる全方向性を実現している点、前記した通り英数字以外の漢字、カナ、バイナリーデータを扱える点、検出した誤りを訂正する機能を有している点である。ＱＲコードの構成は、図５に示す通り、３箇所の切り出しシンボル、２箇所のタイミングバターン、データセル及びマージンとなっている。切り出しシンボルは、コードの位置を検出するためのシンボルであり、３箇所のコード配置によりコードの位置、大きさ、傾きを検出可能としている。タイミングパターンは、各セルの中心座標を求めるためのパターンであり、コードが曲がっていたり、セルピッチに誤差がある場合に、中心座標の補正を行う場合に用いられる。データセルは、情報がコード化されたものであり、誤り訂正機能を実現するリードソロモン符号も含まれる。マージンは、ＱＲコードを読み取る場合に必要とされる余白スペースである。
【００２２】
前記ライタ１１は、撮像機とも呼ばれ、ロールフィルムの場合、前記マイクロフィルムを送るフィルム送り機構と、撮影レンズを介してマイクロフィルムに撮影するマイクロフィルムカメラとを備える構成である。
【００２３】
前記リーダ２１は、マイクロフィルムスキャナとも呼ばれ、ロールフィルムの場合、前記マイクロフィルムを送るフィルム送り機構と、反射光を受光するＣＣＤとを備える構成である。すなわち、２次元バーコードが撮影されたマイクロフィルムがフィルム送り機構によりＣＣＤの配設位置付近まで送られ、光が照射されＣＣＤが反射光を受光し、光電変換により画像情報とする動作がなされる。
【００２４】
前記バーコード変換手段２２は、複数の２次元バーコードを変換して統合して情報とするものであって、コンピュータ３０上に実装されている。当然、バーコード変換手段２２のみで装置を構成してもよい。
以上に、マイクロフィルム、イメージスキャナ４０、２次元バーコード、ライタ１１及びリーダ２１について説明したが、ここで説明した以外のものであってもよい。
【００２５】
次に、本実施形態に係る記録書込装置及び記録読出装置の動作について、図６に基づきそれぞれ説明する。
まず、写真を用意し、前記イメージスキャナ４０で読込み（ステップ１０１）、画像情報とする。前記情報変換手段１２が画像情報を読込み（ステップ１０２）、画像情報の情報量に基づき必要なＱＲバーコードの数を演算する（ステップ１０３）。演算結果のＱＲバーコードの数で画像情報を分割し、分割した情報をそれぞれＱＲバーコードに変換していく（ステップ１０４）。変換する前に、統合が可能となるように、各分割された情報又はＱＲコードの制御情報に分割方法に係る分割情報を挿入する。ライタ１１は、情報変換手段１２により生成されたＱＲコードをマイクロフィルムに撮影する（ステップ１０５）。全ての撮影が終了することで、ＱＲコードが撮影されたマイクロフィルムが完成する。
この完成されたマイクロフィルムを、保管庫で必要がくるまで、耐用時間の範囲内で保管する。
【００２６】
次に、保管庫で保管していたマイクロフィルムを参照する場合について説明する。まず、マイクロフィルムをリーダ２１にセットしてマイクロフィルムをスキャンし（ステップ２０１）、バーコード変換手段２２がマイクロフィルム上の２次元バーコードを読み込み（ステップ２０２）、各２次元バーコードを情報に変換する。変換した各情報を前記分割情報に基づいて統合して、1つの情報とする（ステップ２０３）。１つの情報とした後に表示手段６０に出力し、表示手段６０が画像として表示装置５０に表示する。
【００２７】
このように本発明においては、情報変換手段１２及びライタ１１を有して、情報変換手段１２が情報を２次元バーコードに変換し、ライタ１１が２次元バーコードをマイクロフィルムに焼き付けるので、長期保存に適したマイクロフィルムに記録しているため情報を劣化させることなく情報の長期保存を実現することができる。また、情報変換手段１２が情報を分割して複数の２次元バーコードに変換するので、単一の２次元バーコードで処理できない大量の情報であっても分割して扱うことで処理することができる。また、リーダ２１及びバーコード変換手段２２を有して、リーダ２１がマイクロフィルムから２次元バーコードを読み、バーコード変換手段２２が２次元バーコードを情報に変換するので、長期保存に適したマイクロフィルムに記録しているため長期間経過してもマイクロフィルム内に記録されている情報を劣化させない状態で読み出して用いることができる。また、バーコード変換手段２２が複数の２次元バーコードを変換して部分的な情報となっているものを統合して情報とするので、単一の２次元バーコードで処理できない大きな情報であっても適切に情報に変換することができる。
【００２８】
また、前記記録書込装置１０及び記録読出装置２０を用いることで、記録書込装置１０により作成したマイクロフィルムを保管し、耐用時間経過前に更新する場合に、記録読出装置２０で情報を読み出して、また再び記録書込装置１０を用いて新たなマイクロフィルムにＱＲコードを書き込むことで、何度更新しても情報の抜け落ちがない。通常、マイクロフィルム内の画像を新しいマイクロフィルムに移す場合には、マイクロフィルム内の画像を読み取って、そのままカメラにて撮像するために更新の度に画像が劣化する。
【００２９】
（本発明の第２の実施形態）
本発明の第２の実施形態に係る記録書込装置及び記録読出装置について、図７に基づき説明する。図７は本実施形態に係る記録書込装置により生成された２次元バーコードの部分拡大図である。
本実施形態に係る記録書込装置１０は、前記第１の実施形態と同様に構成され、前記ライタ１１が２次元バーコードに加えて可視可能な情報をマイクロフィルムに書き込むことを異にする構成である。本実施形態に係る記録読出装置２０は、前記第１の実施形態と同様に構成され、前記リーダ２１が２次元バーコードに加えて可視可能な情報が書き込まれたマイクロフィルムを読み込むことを異にする構成である。
【００３０】
可視可能な情報として書き込む情報は、例えば、写真画像を情報としている場合には写真のテーマ、撮影日、場所等があり、また、記録媒体の耐用時間の観点から、記録日時と、記録媒体の耐用時間の終了日となる記録更新期限日等がある。本実施形態においては、図７に示すように、写真のテーマ、場所、記録日時、記録更新期限日を採用して、可視可能な情報としてマイクロフィルムに書き込んだ。
【００３１】
次に、本実施形態に係る記録書込装置及び記録読出装置の動作について説明する。予め、書き込むべき情報は、使用者がテキストデータとして、情報変換手段１２に読み込ませておく必要がある。
【００３２】
前記ステップ１０１ないしステップ１０５は前記第１の実施形態に係る記録書込装置１０の動作と同様になされ、さらに、この後に、予め用意した書き込むべき情報と変換したＱＲコードを合成する。ライタ１１が画像情報として合成された書き込むべき情報と変換したＱＲコードをマイクロフィルムに撮影する。全ての撮影が終了することで、ＱＲコード及び書き込むべき情報が撮影されたマイクロフィルムが完成する。
この完成されたマイクロフィルムを、保管庫で必要がくるまで、耐用時間の範囲内で保管する。
【００３３】
保管している状態で、マイクロフィルムを整理する場合に、マイクロフィルムを参照する場合に、又は、古いマイクロフィルムから新しいマイクロフィルムに交換する場合に、マイクロフィルムをリーダ２１で読み取ってバーコード変換手段２２にて情報として表示装置５０に表示させることなしに、拡大鏡を使用してマイクロフィルム上の可視可能な情報を参照する。参照した後に、実際に中の情報を見る場合には、前記第１の実施形態に係る記録読出装置２０の動作であるステップ２０１ないし２０３を介して表示装置５０に表示させて参照する。
【００３４】
このように本実施形態に係る記録書込装置によれば、ライタ１１が２次元バーコードに加えてマイクロフィルムに可視可能な情報を書き込むので、２次元バーコードをリーダ２１で読込み情報処理することなしに拡大鏡又はリーダ２１で参照することで少なくとも可視可能な情報を知覚することができる。また、記録読出装置によれば、マイクロフィルムには可視可能な情報が付与されており、バーコード変換手段２２により２次元バーコードを変換する前に、どのような情報であるかを制御情報すら変換することなしに知ることができる。
【００３５】
なお、本実施形態に係る記録書込装置及び記録読出装置においては、マイクロフィルムにＱＲコードの他に、写真のテーマ、場所、記録日時、記録更新期限日を書き込んだが、記録対象となる情報を縮小したものを書き込むこともでき、例えば、記録対象となるものが写真である場合には、写真の縮小画像をＱＲコードと共に書き込むことができる。このようにすれば、縮小画像を見ることで、容易に記録対象となっている情報を確認することができる。さらに、マイクロフィルムを更新する際には、縮小画像部分は読み込んでそのままカメラにて撮影するのではなく、再びＱＲコードを変換して画像情報とした後に縮小画像をかかる画像情報から作成することで、記録対象となる情報だけでなく、確認用の縮小画像も劣化することなく、更新させることができる。
【００３６】
（本発明の第３の実施形態）
本発明の第３の実施形態に係る記録読出装置及び記録書込装置について説明する。
本実施形態に係る記録読出装置及び記録書込装置は、前記第２の実施形態に係る記録書込装置及び記録読出装置と同様に構成され、前記可視可能な情報がCRC(Cyclic Redundancy Check)符号であることを異にする構成である。
【００３７】
前記CRC符号は、データの誤りを検出する仕組みであるCRCに用いられる符合である。このCRCは、誤り検出の機能を有している。誤り検出は、情報が壊れていないか、又は、改ざんされていないかを判別することができる機能である。誤り検出の実現方法は、まず、所定ビット数に対応する生成多項式を用意し、この生成多項式をもとに巡回形シフトレジスタ回路を構成し、記録対象となる情報をこの巡回形シフトレジスタ回路にデータ入力し、記録対象となるデータが全てデータ入力された後のシフトレジスタの内容をCRC符号とする。通常であれば記録対象となるデータにCRC符号を付加するが、本実施形態ではマイクロフィルム上でCRC符号をＱＲコードの下に位置させる。すなわち、情報変換手段１２が記録対象となる情報からＱＲバーコードに変換していくと共に、CRC符号を生成する。ライタ１１は、情報変換手段１２により生成されたＱＲコード及びこのＱＲコードの直下にCRC符号を可視可能な状態でマイクロフィルムに撮影する。このようにして、マイクロフィルムを作成する。
【００３８】
作成したマイクロフィルムを読み込む場合には、バーコード変換手段２２により２次元バーコードを情報に変換すると共に、前記巡回形シフトレジスタ回路にデータ入力し、さらに、ＱＲコードの直下にあるCRC符号をデータ入力することで、０となれば、情報が壊れておらず改ざんがないと判別することができる。０以外の数字が求まれば、情報が壊れているか、または、改ざんがあったと判別することができる。
【００３９】
このように本実施形態に係る記録読出装置及び記録書込装置によれば、ＱＲコードに加えてCRC符号を付与したマイクロフィルムを生成し、マイクロフィルムを読み出してＱＲコードから記録対象となる情報に変換する場合に、CRC符号を用いているので、情報の破壊及び改ざんを検出することができる。
【００４０】
なお、本実施形態に係る記録読出装置及び記録書込装置においては、誤り検出方式のCRCを用いたが、チェックデジット(Check Digit)、パリティチェック等の他の誤り検出方式を用いることもでき、さらに、誤り訂正方式を用いて、情報の破壊がなされている場合には、記録対象となる情報を復元することもできる。
また、本実施形態に係る記録読出装置及び記録書込装置においては、CRC符号をＱＲコードの直下に付与した形でマイクロフィルムを作成したが、CRC符号自体をＱＲコードに付加してマイクロフィルムを作成することもできる。
【００４１】
（その他の実施形態）
前記イメージスキャン４０において、スキャン対象となる紙と紙との間に２次元バーコードを付与した仕切紙を適宜挿入した後にスキャンすることもできる。ここでの２次元バーコードは、スキャン対象となる紙（紙上の情報）がどのようなものかを示すものであり、例えば、伝票に関して言えば「入金伝票」、「出金伝票」、「振替伝票」等であり、本に関して言えば「まえがき」、「タイトル」、「目次」、「第一章」・・・「終章」、「あとがき」、「索引」、「出版情報」等である。このような２次元バーコードが付与された仕切紙を、紙と紙との間に挿入することで、スキャン情報がどのようなものかを認識して、情報処理することができる。例えば、スキャン情報を適切に格納するのが目的である場合には、「入金伝票」、「出金伝票」、「振替伝票」に係るスキャン情報をそれぞれのフォルダに格納することができる。従来は専用のリーダで専用の読み取り伝票を用いるものがあったが、本実施形態においては、どのような伝票であっても処理することができる。また、単にフォルダに格納するだけでなく、紙上の情報を情報加工するのであれば、スキャン情報に応じて、様々な情報処理を行うことができ、例えば、承認済み情報であればOCRで情報を読み取った後に表計算システムに出力し、未承認情報であればOCRで情報を読み取った後にワークフローシステムに出力するといった処理の切り分けに使用することもできる。さらに、前記仕切紙の代わりに、２次元バーコードが彫られたハンコを複数作り、使用者が必要に応じてハンコを押すことにより前記仕切紙を用いた場合と同様の処理を行うことができる。
【００４２】
また、前記第１の実施形態においては、前記図１のようなハードウェア構成としたが、図８に示すように、各コンピュータをLAN接続して複数のコンピュータからなるハードウェアの構成であってもよい。
【００４３】
また、前記各実施形態においては、各マイクロフィルムの記録更新期限日を管理する期限管理手段を備え、この期限管理手段が記録更新期限日が到来する前に、前記ライタ１１にセットされている新しいマイクロフィルムにコンピュータ３０内にある記録更新期限日が到来する情報を２次元バーコードにしたものを自動的に書き込むこともでき、コンピュータ内部の重要な情報が自動的にマイクロフィルム化され、消失することがない。重要な情報をマイクロフィルム化するため、２次元バーコードに変換する前に暗号化することが好ましい。
【００４４】
また、前記各実施形態においては、既にマイクロフィルム化した情報に関して記録日、記録更新期限日等の管理情報自体を２次元バーコードに変換してマイクロフィルム化することもでき、管理情報の永続性が確保でき、情報の保存の管理も永続的に行うことができる。
【００４５】
また、前記各実施形態においては、リーダ２１にマイクロフィルムを順次送るフィーダーとフィーダー及びリーダ２１を経たマイクロフィルムを複数方向に排出することができる排出手段（ソーターを含む）を備えることもでき、リーダ２１がフィーダーに記録更新期限日が所定期間内外によって、排出手段がマイクロフィルムの排出方向を決定してソーターに排出することもでき、フィーダーに並べられた大量のマイクロフィルムから記録更新期限日が近づいているマイクロフィルムのみを抽出することができる。さらに、記録更新期限日までの期間を段階的に、例えば、５０年以上、１０年以上、１年以上等に区分けし、それぞれの期間に応じて、排出手段がマイクロフィルムの排出方向を決定してソーターに排出することもできる。ここで、フィーダー及びソーターとは、複写機で一般的に使用される用語をマイクロフィルムに対応させて用いた。
【図面の簡単な説明】
【００４６】
【図１】本発明の第１の実施形態に係る記録書込装置及び記録読出装置のハードウェア構成図である。
【図２】本発明の第１の実施形態に係る記録書込装置及び記録読出装置のブロック構成図である。
【図３】本発明の第１の実施形態に係る記録書込装置が処理対象とする画像である。
【図４】本発明の第１の実施形態に係る記録書込装置により生成された２次元バーコードである。
【図５】図４の部分拡大図である。
【図６】本発明の第１の実施形態に係る記録読出装置及び記録書込装置の動作フローチャートである。
【図７】本発明の第２の実施形態に係る記録書込装置により生成された２次元バーコードの部分拡大図である。
【図８】本発明のその他の実施形態に係る記録書込装置及び記録読出装置のハードウェア構成図である。
【符号の説明】
【００４７】
１０  記録書込装置
１１  ライタ
１２  情報変換手段
２０  記録読出装置
２１  リーダ
２２  バーコード変換手段
３０  コンピュータ
４０  スキャナ
５０  表示装置
６０  表示手段
【図１】
2006127054.tif 000003
【図２】
2006127054.tif 000004
【図５】
2006127054.tif 000005
【図６】
2006127054.tif 000006
【図７】
2006127054.tif 000007
【図８】
2006127054.tif 000008
【図３】
2006127054.tif 000009
【図４】
2006127054.tif 000010